(57)【要約】【課題】構造が簡易で、施工が容易な低コストの換気棟を提供すること。【解決手段】２つの野地板間に、所定の間隙を設ける。間隙に沿って、棟木を設ける。野地板上の瓦との間に通気空間を具えて棟木上に冠瓦を設ける。通気孔を有する遮水板を、通気空間と間隙との間に設ける。通気性を具えた防水部材を、遮水板の内側に設ける。遮水板は、下方部分に、断面波形の凹凸が連続して形成してあり、凹凸による連続空間を閉鎖させることなく瓦上に付着される。防水部材は、下部を瓦上に載置し、防水部材と遮水板との間の空間を、遮水板と瓦との間に形成された連続空間に連通させることとした。【選択図】図１
2010285758.tif 000002
【特許請求の範囲】
【請求項１】
所定の間隙を具えて突き合わされた２つの野地板と、
前記間隙に沿って設けられた棟木と、
前記野地板上に葺かれた瓦と、
前記瓦との間に通気空間を具えて前記棟木上に設けられた冠瓦と、
前記通気空間と前記間隙との間を区画するように設けられるとともに表裏方向に貫通した通気孔を有する遮水板と、
前記遮水板の内側に設けられ、通気性および防水性を有する防水部材と、を備え、
更に前記遮水板は、前記通気孔より下方部分に、断面波形の凹凸を傾斜方向に沿って連続して形成された貼付部を具え、かつ、前記凹凸により形成された連続空間を閉鎖させることなく前記貼付部を前記瓦上に付着させ、
前記防水部材は、上部を前記棟木に取り付け、下部を前記瓦上に載置し、該防水部材と前記貼付部との間に形成された空間を、前記貼付部と前記瓦との間に形成された連続空間に連通させて構成したことを特徴とする換気棟。
【請求項２】
前記防水部材は、上部取付板と、通気部材と、下部防水布からなり、
前記通気部材は、所定の厚みを有し、かつ上下方向に沿って通気可能で、該通気部材の厚み方向の上面に前記上部取付板を具え、該通気部材の下面に前記下部防水布を具え、更に、前記上部取付板は前記通気部材の上面と、前記下部防水布は前記通気部材の下面と、それぞれ所定長さ互いに重ねられ、
かつ前記下部防水布を、前記瓦上に載置させ、該下部防水布と前記貼付部との間に形成された空間を、前記貼付部と前記瓦との間に形成された連続空間に連通させたことを特徴とする請求項１に記載の換気棟。
【請求項３】
前記通気部材を、波板から形成したことを特徴とする請求項２に記載の換気棟。
【請求項４】
前記下部防水布は、縦方向に襞を具えたことを特徴とする請求項１または２に記載の換気棟。
【請求項５】
前記防水部材は、通気性を具えた不織布から形成したことを特徴とする請求項１に記載の換気棟。
【発明の詳細な説明】
【技術分野】
【０００１】
本発明は、野地板間に間隙を設け、この間隙を通して建物内の換気を行う換気棟に関する。
【背景技術】
【０００２】
棟を通して建物の換気を可能とした換気棟が知られている。換気棟としては、例えば左右の野地板を頂部で間隙を空けて設け、野地板の間隙の上に棟木を取り付け、棟木の上部に冠瓦を、冠瓦の下部を開放させて取り付けた構造がある。
【０００３】
更に換気棟としては、野地板間の間隙を通して雨水が建物内に浸入しないように各種の構造が知られている。一例として、冠瓦と棟木との間に、有通気性遮水板（以下、「遮水板」とする。）を設けたものが知られている。この遮水板は、例えばアルミ板など軽金属製薄板に通気孔を多数形成し、棟木と冠瓦の間に取り付け、棟における通気を確保させるとともに通気孔を適切に設定することにより建物の内部に雨水が浸入するのを防止した部材である。
【先行技術文献】
【特許文献】
【０００４】
【特許文献１】特開平２００８−２０８６１８号公報
【発明の概要】
【発明が解決しようとする課題】
【０００５】
しかしながら、上記遮水板は、想定される最大の風速を受けた場合、遮水板の通気孔を雨水が通過して建物内部に雨水が浸入することが発生する。そこで、棟木と遮水板の間に、有通気性の防水布などを設け、遮水板を通過して建物内に侵入した雨水を防水布で遮ることが考えられている。
【０００６】
一方遮水板の下部は、粘着剤等により桟瓦の上面に貼り付けられているため、防水布で雨水を遮ると、遮水板と防水布との間に雨水が溜まってしまうことが考えられる。遮水板と防水布との間に雨水が溜まると、棟が常時湿気た状態となり、汚れが発生したり、遮水板を桟瓦に貼り付けている粘着剤が変質して、遮水板が桟瓦から剥離してしまうことが考えられる。
【０００７】
また、桟瓦から棟木までの高さや、野地板間に形成された間隙の幅は、建物ごとに異なり、態様は一様でない。すると、遮水板と棟木との間が狭められ、十分な通気性が得られなくなることもあった。
【０００８】
本発明は上記課題を解決し、通気用に通気孔を具えた有通気性遮水部材を用いた換気棟において、コストが低く、簡易な構成で、通気性能と防水性能を確保し、かつ遮水板の下部に雨水が溜まることのない換気棟を提供することを目的とする。
【課題を解決するための手段】
【０００９】
上記の課題を解決するために、本発明では換気棟を次のように構成した。  
２つの野地板を、所定の間隙を設けて突き合わせる。棟木を、間隙に沿って設ける。野地板上に、瓦を葺く。冠瓦を、瓦との間に通気空間を具えて棟木上に設ける。
【００１０】
遮水板を、通気空間と間隙との間を区画するように設ける。遮水板には、表裏方向に貫通した通気孔が設けられている。更に遮水板の通気孔より下方部分には、貼付部を設ける。貼付部は、断面波形の凹凸が傾斜方向に沿って連続して形成されている。貼付部は、凹凸により形成された連続空間を途中で閉鎖させることなく瓦上に付着される。
【００１１】
遮水板の内側に、通気性を具えた防水部材を設ける。防水部材は、棟木から貼付部にわたって取り付けられる。防水部材は、少なくとも通気孔が形成された部分を覆い、その下端は瓦上に載せられている。更に、防水部材の下部と遮水部材との間は、貼付部と瓦との間に形成された連続空間に連通させてある。尚、防水部材の下部は、瓦上に載置させるのみでなく、瓦に貼り付けたり、あるいは貼付部の下面に貼り付けてもよい。
【００１２】
防水部材は、一例として、上部取付板と、波板などからなる通気部材と、下部防水布から形成する。通気部材は、所定の厚みを有し、上部取付板と下部防水布を結ぶ線に沿って通気を可能としている。上部取付板は、通気部材の板厚方向の上面に設けられ、下部防水布は通気部材の下面に設けられる。
【００１３】
更に、上部取付板は、例えば樹脂製板材で、横方向に折線が形成してあり、折線を境にして上半部と下半部に区画されている。折線は、上半部と下半部とを上下に屈曲自在としている。上半部は、棟木の側面に接着剤等により取り付けられる。下半部は、通気部材の上部、例えば波板（通気部材）の頂上部分と所定長さ互いに重なるように取り付けられる。
【００１４】
下部防水布は、例えば波板の湾曲した下底部分に、互いに所定長さ重なるように取り付ける。また下部防水布は、防水部材を棟木に取り付けたとき、瓦上に接触するに十分な長さを有している。
【００１５】
また他の例の換気棟として、遮水部材と棟木との間に通気性を有する防水薄片を設けて構成した。防水薄片は、布、不織布、防水紙などで、表裏方向に空気を通すが、水は通過させない部材である。有通気性防水薄片は、上述したと同様、下部を瓦上に接触させておく。
【発明の効果】
【００１６】
本発明にかかる換気棟は、次の効果を有している。
【００１７】
野地板間の間隙から流出した室内空気は、防水部材と、遮水部材に形成された通気孔を通して、冠瓦の開放空間から建物の外に排出される。これにより、建物内の換気が実施される。また通気部材は、厚み方向に広がる空間を具え、十分な通気が行われる。
【００１８】
一方雨水は、遮水部材により遮られるとともに、風速が速まり、遮水部材の通気孔を雨水が通過しても、防水部材により遮られ、建物内へ雨水が侵入することは確実に防止される。
【００１９】
より具体的には、防水部材の上部取付板に当たった雨水は、上部取付板上を流れ波板上に落下する。雨水は、更に波板から下部防水布に伝わり、下方に流れる。そして、雨水が下部防水布の下部に至ると、遮水部材の貼付部の凹凸部分と下部防水布の間、および貼付部の凹凸部分と粘着材との間に形成された空間をそれぞれ通過して瓦上に流れ出る。これにより、換気棟から雨水が建物内に浸入することがなく、かつ雨水は瓦上に流出し、遮水部材の内側に雨水が溜まることがない。
【図面の簡単な説明】
【００２０】
【図１】本発明にかかる換気棟の一実施形態を示す断面図である。
【図２】遮水板を示す斜視図である。
【図３】傾斜板を示す斜視図である。
【図４】貼付部の貼り合せ状態を示す側面図である。
【図５】換気棟を示す分解斜視図である。
【図６】傾斜板の他の例を示す斜視図である。
【図７】換気棟の他の例を示す断面図である。
【発明を実施するための形態】
【００２１】
本発明にかかる換気棟の一実施形態について説明する。  
図１に、換気棟１０を示す。換気棟１０は、冠瓦１２と、棟木１４と、遮水部材としての遮水板１６と、防水部材としての傾斜板１８と、野地板２０と、桟瓦２２などから構成されている。
【００２２】
２枚の野地板２０は、間に所定の幅の間隙Ａを空けて、突き合せ部を頂部として末広がりに設けられている。野地板２０上には、桟瓦２２が取り付けられている。桟瓦２２は、間隙Ａを閉鎖させることなく、従来と同様の工法で野地板２０に葺かれている。
【００２３】
棟木１４は、図５にも示すように支持金具３０により、間隙Ａに沿って間隙Ａの中央上部に取り付けられている。棟木１４と野地板２０との間隔は、適宜設定され、冠瓦１２を棟木１４に取り付けると冠瓦１２の下部、すなわち冠瓦１２と桟瓦２２との間に所望の通気空間３が形成される。
【００２４】
遮水板１６は、冠瓦１２と棟木１４の間に設けられている。遮水板１６は、アルミニウム製薄板などから形成され、図２に示すように上板部３２と、上板部３２につながる通気部３４と、通気部３４の下部につながる貼付部３６を具えている。
【００２５】
上板部３２は、棟木１４の上面とほぼ等しい横幅に形成されている。通気部３４は、上板部３２の両側から斜め下方に延び、表裏に貫通した通気孔３８が複数形成されている。通気孔３８は、例えば遮水板１６の内側から孔明け具（図示せず。）を貫通させ、貫通痕が側壁として通気孔３８の周囲に外方に突き出た状態に形成されている。
【００２６】
尚通気孔３８は、上記例に限らず、例えば遮水板１６の外方から内側に孔明け具を貫通させ、貫通痕が側壁として通気孔３８の周囲に内方に突き出た状態に形成されていてもよい。また、通気孔３８は、打ち抜き加工で形成しても、凹凸部分の凸あるいは凹部分を切り欠いて形成するようにしてもよい。
【００２７】
貼付部３６は、通気部３４から連続して設けられている。貼付部３６には、断面波形の凹凸が縦方向（傾斜に沿った方向である。）に連続して形成され、複数の溝４０を具えている。溝４０は、通気部３４から貼付部３６の下端まで縦方向に連続して形成してある。また貼付部３６は柔軟性を具え、溝４０を適宜広げて、任意の形状に沿わせることが可能となっている。
【００２８】
傾斜板１８は、図３に示すように上部取付板４２と、通気部材としての波板４４と、下部防水布４６から形成されている。上部取付板４２は、ほぼ中央に折線４８が横方向に設けられ、折線４８で折線４８より上の上半部５０と下の下半部５２に区画されている。折線４８により、上半部５０と下半部５２は、相互に上下方向に屈曲自在となっている。上半部５０は、棟木１４の側面に接着剤等により接着されている。
【００２９】
下半部５２は、波板４４の波形湾曲形状の頂上部に固定されている。波板４４は、合成樹脂などからなる波板であり、下半部５２と波板４４とは、所定の長さ重ねて取り付けられている。更に下半部５２と波板４４は、傾斜板１８を棟木１４に取り付けた状態で、水平な方向から見て、下半部５２の下端と波板４４の上端との間に隙間が見えない程度に少なくとも両者が重なっていることが好ましい。
【００３０】
波板４４の下部には、下部防水布４６が取り付けられている。下部防水布４６は、波板４４の波形湾曲形状の底部に固定されている。下部防水布４６と波板４４とは、所定の長さ重ねて取り付けられており、傾斜板１８を棟木１４に取り付けた状態で、水平な方向から見て、波板４４の下端と下部防水布４６の上端との間に隙間が見えない程度に少なくとも両者が重なっていることが好ましい。
【００３１】
下部防水布４６は、防水性能を有する布材などから形成されている。下部防水布４６は、遮水板１６の貼付部３６の裏面に接着剤等により貼り付けられている。また下部防水布４６は、縦方向に複数の襞６２を有し、襞６２を適宜開いて桟瓦２２の上面に沿って貼り付け可能となっている。
【００３２】
更に下部防水布４６は、図４に示すように遮水板１６を桟瓦２２に付着させている粘着剤６４に重ならないように貼付部３６に貼り付けられている。尚下部防水布４６は、下部防水布４６と溝４０との間に形成された空間が、粘着剤６４と溝４０との間に形成された空間と連続しているように、遮水板１６に貼り付けられていればよい。
【００３３】
次に、換気棟１０の作用、効果について説明する。
【００３４】
換気棟１０において建物内の暖気（「室内空気」とする。）は、図１の点線の矢印で示すように野地板２０間に設けられた間隙Ａを通って冠瓦の１２の内側に流入する。冠瓦の１２の内側に流入した室内空気は、更に波板４４と上部取付板４２、あるいは波板４４と下部防水布４６との間を通り、傾斜板１８の外方に流出する。傾斜板１８の外方に流出した室内空気は、遮水板１６の通気孔３８を通り、冠瓦１２と桟瓦２２の間の通気空間３を通って、建物の外方に排出される。
【００３５】
また雨水は、風とともに通気空間３を通って冠瓦１２の内側に浸入することがある。冠瓦１２の内側に入った雨水は、遮水板１６で浸入が遮られ、通常の降雨では、それ以上建物内部に雨水が浸入することはない。そして風速が所定以上となった場合、遮水板１６の通気孔３８を雨水が通過することが起きる。すると、傾斜板１８に雨水が当り、傾斜板１８に沿って雨水が流下する。
【００３６】
傾斜板１８に当った雨水は、上部取付板４２、波板４４、もしくは下部防水布４６のいずれに当った場合であっても、それぞれの箇所から順次流下し、遮水板１６の溝４０と下部防水布４６の間を通って遮水板１６の裏面の下部に到達する。すると遮水板１６の裏面下部には、遮水板１６の溝４０と粘着剤６４との間に空間が形成されているので、雨水は更にその空間を通って桟瓦２２の上面に流出される。
【００３７】
傾斜板１８は所定角度傾斜しており、また通気孔３８で風速が低下されるので、風速が大きい場合でも傾斜板１８の傾斜面を上昇して雨水が傾斜板１８の内側に流入することは生じない。
【００３８】
したがって、換気棟１０によれば、波板４４により通気通路が十分に確保され、確実な換気作用が発揮されるとともに、遮水板１６と傾斜板１８とにより、確実に雨水の浸入を防ぎ、良好な防水性能をもたらすことができる。しかも、遮水板１６は、アルミ製薄板をプレス加工などすることにより、容易に形成でき、かつ傾斜板１８は、合成樹脂などからなる波板４４で形成できるので、安価で、しかも容易に施工することが可能である。
【００３９】
更に換気棟１０は、傾斜板１８の波板４４の長さや、下部防水布４６の長さ、あるいは襞６２などを適宜選択することにより、多種にわたる建物の換気棟に適用できる。しかも遮水板１６と棟木１４とが近接し、距離が狭い場合であっても、波板４４を用いていることから、十分な広さの通気通路を確保し、建物内の換気を確実に行わせることができる。
【００４０】
次に、傾斜板の他の例を図６に示す。この傾斜板１９は、傾斜板１８の波板４４に代えて、図に示すような内部に仕切り壁６８を具えた通気部材７０を用いて形成されている。このような、通気部材７０を用いても傾斜板１９は、上記波板４４を用いたと同様の効果を得ることができる。
【００４１】
次に、換気棟の他の例について説明する。この換気棟１１は、図７に示すように上記換気棟１０の傾斜板１８に代えて、有通気性防水薄片としての不織布７２を備えている。不織布７２は、通気性と防水性能を有している。不織布７２は、遮水板１６と同様棟木１４の上方を覆って下部両側を遮水板１６の裏面に貼り付けられている。更に不織布７２の下端は、溝４０（図４参照。）と不織布７２との間に形成された空間が、溝４０と粘着剤６４との間に形成された空間と連続するように貼り付けられている。
【００４２】
換気棟１１によれば、間隙Ａを通して建物の換気が可能であるとともに、遮水板１６で防水でき、更に遮水板１６を雨水が通過した場合でも、不織布７２により雨水の浸入が遮断され、確実に防水できる。また、遮水板１６を通過した雨水は、溝４０が形成する空間を通って桟瓦２２の上面に流出される。かかる換気棟１１によっても、簡易な構成で、十分な換気と確実な防水が実現できる。  
尚、上記例は本棟で説明したが、本発明はこれに限るものではない。
【産業上の利用可能性】
【００４３】
本発明は、建物の換気棟に用いることができる。
【符号の説明】
【００４４】
１０…換気棟
１２…冠瓦
１４…棟木
１６…遮水板
１８…傾斜板
２０…野地板
２２…桟瓦
３２…上板部
３４…通気部
３６…貼付部
３８…通気孔
４０…溝
４２…上部取付板
４４…波板
４６…下部防水布
６４…粘着剤
Ａ…間隙
【図１】
2010285758.tif 000003
【図２】
2010285758.tif 000004
【図３】
2010285758.tif 000005
【図４】
2010285758.tif 000006
【図５】
2010285758.tif 000007
【図６】
2010285758.tif 000008
【図７】
2010285758.tif 000009